(57)【要約】      （修正有）【課題】タンクと出水バルブの間に取り外し自在に殺菌管を結合することにより、迅速に装脱することができる給水機用の取り外し簡易式殺菌装置を提供する。【解決手段】殺菌管１および殺菌ランプ２が含まれる。殺菌管１には進水継手１１と出水継手１２が設けられ、進水継手１１と出水継手１２は殺菌ランプ１の外周面に結合されるとともに、殺菌管１と連通するように形成される。殺菌ランプ２は殺菌管１の内部に設けられる。殺菌管１は進水継手１１により取り外し自在に上記給水機のタンクの外部に結合され、さらに出水継手１２により取り外し自在に上記給水機の出水バルブに結合されるように構成されている。【選択図】図１
0003142783.tif 000002
【実用新案登録請求の範囲】
【請求項１】
殺菌管（１）および殺菌ランプ（２）が含まれる給水機のための取り外し簡易式殺菌装置であって、殺菌管（１）には進水継手（１１）と出水継手（１２）が設けられ、進水継手（１１）と出水継手（１２）は殺菌ランプ（１）の外周面に結合されるとともに、殺菌管（１）と連通するように形成され、殺菌ランプ（２）は殺菌管（１）の内部に設けられ、殺菌管（１）は進水継手（１１）により取り外し自在に上記給水機のタンク（４）の外部に結合され、さらに出水継手（１２）により取り外し自在に上記給水機の出水バルブ（５）に結合されることを特徴とする給水機用の取り外し簡易式殺菌装置。
【請求項２】
殺菌管（１）の外周面には他に固定フレーム（１４）が結合され、固定フレーム（１４）により殺菌管（１）をタンク（４）の外部に位置決めすることを特徴とする請求項１記載の給水機用の取り外し簡易式殺菌装置。
【請求項３】
他に継手（３）を備え、継手（３）は殺菌管（１）の進水継手（１１）に嵌設されることにより、進水継手（１１）とタンク（４）と連接することを特徴とする請求項１または２記載の給水機用の取り外し簡易式殺菌装置。
【請求項４】
殺菌ランプ（２）は紫外線殺菌ランプからなることを特徴とする請求項１、２または３記載の給水機用の取り外し簡易式殺菌装置。
【考案の詳細な説明】
【技術分野】
【０００１】
本考案は、給水機に用いられる殺菌装置に関するもので、特に紫外線ランプを利用して殺菌を行う取り外し簡易式殺菌装置に係るものである。
【背景技術】
【０００２】
従来の殺菌効果を有する給水機の構造としては、中華民国新型公告第Ｍ２６９４２３号「飲水機のタンク内の紫外線ランプ管構造」においては、貯水タンク、透明管、紫外線ランプ管とランプ管電源座が含まれる。上記透明管は上記貯水タンクの中に位置するとともに、上記貯水タンクを貫穿する。上記紫外線ランプ管が上記透明管の内に置き入れられ、そして上記ランプ管電源座と電気的連接する。上記ランプ管電源座に電気が通電した時、上記紫外線管から紫外線を発射して上記貯水タンクの水を照射することにより、殺菌の効果に達することができるようにとしたものがある（例えば、特許文献１を参照）。
【０００３】
また、従来の殺菌効果を有する給水機の構造としては、図４を参照すると、主に紫外線ランプを給水機９のタンクの９２の内に装設し、タンク９２は殺菌管９３と連接し、殺菌管９３を通して飲用水を給水機９の出水バルブ９４まで輸送することにより、出水バルブ９４から水を取ることができる。給水機により殺菌を行う時、紫外線ランプを利用して紫外線を出してランク９２の内の飲用水を照射し、上記紫外線は殺菌の効果を有することにより、上記飲用水の衛生を維持することができるため、飲用する者の健康を確保することができるようにとしたものがある。
【特許文献１】中華民国新型公告第Ｍ２６９４２３号
【考案の開示】
【考案が解決しようとする課題】
【０００４】
上記のような従来の殺菌効果を有する給水機の構造においては、一般として下記の問題点を有している。例えば、上記紫外線ランプ管から発射した紫外線は先ず上記透明管を貫穿してから水の中に進入することができ、そして上記透明管により水の中に進入された紫外線の強度は弱くなるため、紫外線の強度が不足により水の中の微生物を殺すことはできなくなり、そのために殺菌の効果に達することができないという問題点を有している。
【０００５】
また、上記のような従来の殺菌効果を有する給水機の構造においては、一般として下記の問題点を有している。例えば、殺菌装置を換えようとする時、先ずタンク９２を給水機９から取り出し、それから紫外線ランプ９１を取り外す。しかし、ランク９２の体積が大きいため、給水機９から取り出すのが大変不便であり、さらにタンク９２と給水機９の内部の部材は互いに連接し、かつ給水機９の内部に固定されるため、タンク９２を取り外そうとする時、先ずタンク９２と給水機９の内部の部材を取り外さなければならず、そのために紫外線ランプ９１の取替えの手順が複雑になってしまうという問題点を有している。このように、上記のような従来の殺菌効果を有する給水機の構造をさらに改良することが必要であった。
【０００６】
本考案の第一の目的は、殺菌ランプを殺菌管の内に装設することにより、上記殺菌管は取り外し自在にタンクと出水バルブの間に連接され、それにより、上記殺菌ランプを取り替えようとする時に上記殺菌管を直接取り外すことができ、装脱の便利性を高めることができる給水機用の取り外し簡易式殺菌装置を提供しようとするものである。
【課題を解決するための手段】
【０００７】
上記目的を達成するために、本考案による給水機用の取り外し簡易式殺菌装置は、下記のようになるものである。すなわち、
殺菌管および殺菌ランプが含まれる。殺菌管には進水継手と出水継手が設けられ、進水継手と出水継手は殺菌ランプの外周面に結合されるとともに、殺菌管と連通するように形成される。殺菌ランプは殺菌管の内部に設けられる。殺菌管は進水継手により取り外し自在に給水機のタンクの外部に結合され、さらに出水継手により取り外し自在に給水機の出水バルブに結合される。
【０００８】
本考案による給水機用の取り外し簡易式殺菌装置は、殺菌管の外周面には他に固定フレームが結合され、固定フレームにより殺菌管をタンクの外部に位置決めすることもできる。また、他に継手を備えることもでき、この継手は殺菌管の進水継手に嵌設されることにより、進水継手とタンクと連接する。また、殺菌ランプは紫外線殺菌ランプからなることもできる。
【考案の効果】
【０００９】
本考案の給水機用の取り外し簡易式殺菌装置によれば、殺菌ランプを殺菌管の内に装設することにより、上記殺菌管は取り外し自在にタンクと出水バルブの間に連接されることにより、上記殺菌ランプを取り替えようとする時に上記殺菌管を直接取り外すことができるため、装脱の便利性を高めることができるという利点がある。
【考案を実施するための最良の形態】
【００１０】
本考案の実施の形態について、以下、図面を参照して説明する。
【００１１】
図１を参照すると、本考案の実施例の給水機用の取り外し簡易式殺菌装置には殺菌管１、殺菌ランプ２および継手３が含まれる。殺菌管１は飲用水を輸送するのに用いられる。殺菌ランプ２は紫外線を出して上記飲用水を照射して殺菌するのに用いられる。継手３は殺菌管１を給水機と結合するのに用いられる。
【００１２】
殺菌管１には進水継手１１、出水継手１２、内部空間１３と固定フレーム１４が設けられる。進水継手１１と出水継手１２は殺菌管１の外周面に設けられ、そして好ましくはそれぞれ殺菌管１が隣接する両端の位置に設けられる。内部空間１３は殺菌管１の内部に形成され、さらに進水継手１１と出水継手１２とは互いに連通するように形成される。固定フレーム１４は殺菌管１の外周面に設けられることにより、殺菌管１を上記給水機の内部に結合することができる。
【００１３】
殺菌ランプ２は取り外し自在に殺菌管1の内部空間１３に装設され、さらに殺菌ランプ２は好ましくは紫外線ランプからなり、紫外線の照射により上記飲用水の中の微生物を殺すことができる。
【００１４】
継手３には軸方向に貫穿する通孔３１が形成され、継手３を殺菌管１の進水継手１１の外周面に嵌設することにより、進水継手１１は通孔３１に挿入することができる。さらに継手３は好ましくは漏えい防止の功能を有するゴム製の軟管等からなることができる。
【００１５】
図２、３を参照すると、本考案の実施例の給水機用の取り外し簡易式殺菌装置は主に上記給水機の内部に取り付けられ、上記給水機にはランク４、出水バルブ５、仕切り板６、制御板７と給水機に必要とする部品（図示せず、例えば水タンクやコンプレッサーなどの部材）が含まれる。その内に、仕切り板６は上記給水機の内部に固定され、仕切り板６によりタンク４を上記給水機の内部に固定することができる。さらにタンク４の底部には管路４１が設けられ、管路４１はタンク４の内部まで連通される。出水バルブ５は上記給水機の外側に設けられることにより、使用者が出水バルブ５から飲用水を取って飲用することができる。制御板７は上記給水機の外側に設けられる。
【００１６】
本考案の実施例の給水機用の取り外し簡易式殺菌装置を実際に組み立てようとする時、継手３を利用して進水継手１１をタンク４の管路４１に結合することによって殺菌管１と連接したり、または殺菌管１の進水継手１１をタンク４の管路４１に直接結合したりすることができる。その中に、継手３により上記飲用水が進水継手１１と管路４１との間から漏えいするのを避けることができる。それから、殺菌管１の出水継手１２を出水バルブ５と結合して殺菌管１と連接することにより、殺菌管１を通して上記飲用水をタンク４から出水バルブ５まで輸送し、使用者に上記飲用水を提供することができる。さらに、ねじなどの固定部材Ａを利用し、固定フレーム１４を利用して殺菌管１を仕切り板６の底部に固定することにより、殺菌管１をさらに安定して上記給水機の内部に結合することができる。また、殺菌ランプ2は電源線（図示せず）により上記給水機の制御板７まで電気的連接されることにより、使用者により殺菌ランプ２を作動するタイミングを自由に制御することができる。
【００１７】
本考案の実施例の給水機用の取り外し簡易式殺菌装置において飲用水の殺菌作業を行なおうとする時、上記給水機の制御板７により殺菌ランプ2をオンにする。使用者が出水バルブ５をオンにして飲用水を取る過程において、上記飲用水はタンク４から管路４１と進水継手１１を経由して殺菌管１の内部空間１３に進入する。この時、殺菌ランプ２は上記飲用水を照射して殺菌処理を行うことになり、殺菌処理を行った飲用水は再び出水継手１２を経由して出水バルブ５まで流れ、使用者に飲用水を提供することができる。
【００１８】
再び図２、３を参照すると、本考案の実施例の給水機用の取り外し簡易式殺菌装置を取り換えようとする時、先ず固定フレーム１４の固定部材Ａを取り外し、殺菌管１を上記給水機の仕切り板６と分離させ、それから継手３をタンク４の管路４１から取り外すことにより、殺菌管１の出水継手１２を出水バルブ５と分離させる。それから、殺菌管１を取り出して殺菌ランプ２の取り換え作業を行なってから、再び上述した手順の逆の手順で殺菌管１を装設することにより、殺菌装置の取り換え作業を完成することができる。
【産業上の利用可能性】
【００１９】
上述の如く、従来の殺菌効果を有する給水機の構造によれば、紫外線ランプ管から発射した紫外線が水の中に進入してから、紫外線の強度は弱くなるため、紫外線の強度が不足により水の中の微生物を殺すことはできなくなるという問題点があり、また、図４に示す従来の殺菌効果を有する給水機の構造によれば、紫外線ランプ９１がタンク９２の内部に装設されることにより、紫外線ランプ９１を取り換えようとする時、先ずタンク９２を給水機９から取り出さなければならないため、紫外線ランプ９１の取替えの手順が比較的複雑になってしまうという問題点があったが、図１に示す本考案の給水機用の取り外し簡易式殺菌装置によれば、上記殺菌装置がタンク４の外部に取り付けられ、殺菌ランプ２が殺菌管１の内部に取り付けられ、さらに殺菌管１が取り外し自在にタンク４と出水バルブ５の間に連接されることにより、装脱の便利性を高めることができる。
【００２０】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２１】
【図１】本考案の実施例の給水機用の取り外し簡易式殺菌装置による殺菌装置の分解立斜視図である。
【図２】本考案の実施例の給水機用の取り外し簡易式殺菌装置による分解斜視図である。
【図３】本考案の実施例の給水機用の取り外し簡易式殺菌装置による組立てられた状態の断面図である。
【図４】従来の給水機の殺菌装置による組立てられた状態の断面図である。
【符号の説明】
【００２２】
１    殺菌管                          １１    進水継手
１２    出水継手                        １３    内部空間
１４    固定フレーム                      ２    殺菌ランプ
３    継手                            ３１    通孔
４    タンク                          ４１    管路
５    出水バルブ                        ６    仕切り板
７    制御板
９    給水機                          ９１    紫外線ランプ
９２    タンク                          ９３    殺菌ランプ
９４    出水バルブ
Ａ    固定部材
【図１】
0003142783.tif 000003
【図２】
0003142783.tif 000004
【図３】
0003142783.tif 000005
【図４】
0003142783.tif 000006